(57)【特許請求の範囲】
【請求項１】
平行に立設した一対の支柱材を水平材にて連結して略門型の枠体を形成すると共に、該枠体の各支柱材の下端部にそれぞれ水平に備えたベース材をボルトにて締緩自在に螺着し、該ボルトの締緩操作によりベース材を前記水平材に対して任意の角度で固定可能に構成する一方、ベース材の両端部にはベース材を鉄骨などへ固定するための固定手段を備えたことを特徴とする足場用架台。
【請求項２】
前記固定手段には高さ調節機能を備させたことを特徴とする請求項１記載の足場用架台。
【発明の詳細な説明】
【０００１】
【発明の属する技術分野】
本発明は、ビルなどの建築工事などにおいてビル内部に構築する仮設足場用の架台に関する。
【０００２】
【従来の技術】
従来より、ビルなどの建築工事などにおいて、建築作業者用の足場を確保するために、建築物の周囲や内側に仮設足場を組み上げている。ここで、建築物の内側に足場を確保する場合、例えば、建築中のビルなどの鉄骨を利用して、鉄骨へ直接長尺或いは伸縮式などの足場の両端部をクランプなどで固定して架設したりしている。
【０００３】
【発明が解決しようとする課題】
しかしながら、最近では、ＳＲＣ工法といった鉄骨の周囲にコンクリートを打設する工法が採用されることも多く、建築作業の進行具合によっては足場を架設する鉄骨の内、片側の鉄骨だけがコンクリートに被覆されて嵩高となってしまうことがあり、その場合、足場を架設しようとしても段差によって水平とならないので、これを解消するものが望まれていた。
【０００４】
本発明は上記の点に鑑み、段差を有する場所であっても足場を水平に架設することのできる足場用架台を提供することを課題とする。
【０００５】
【課題を解決するための手段】
本発明は上記の課題を解決するために、請求項１記載の足場用架台にあっては、平行に立設した一対の支柱材を水平材にて連結して略門型の枠体を形成すると共に、該枠体の各支柱材の下端部にそれぞれ水平に備えたベース材をボルトにて締緩自在に螺着し、該ボルトの締緩操作によりベース材を前記水平材に対して任意の角度で固定可能に構成する一方、ベース材の両端部にはベース材を鉄骨などへ固定するための固定手段を備えたことを特徴としている。
【０００６】
また、請求項２記載の足場用架台にあっては、前記固定手段には高さ調節機能を備えさせたことを特徴としている。
【０００７】
【発明の実施の形態】
本発明に係る請求項１記載の足場用架台によれば、例えば、ＳＲＣ工法などを採用するビルの建築現場などにおいて、コンクリートによって被覆された状態の鉄骨とむき出しの鉄骨間に足場を架設する場合、先ず、むき出しの鉄骨側に鉄骨と水平材が略平行となるように足場用架台を載置する。
【０００８】
次に、各ベース材を支柱材に対して回動させ、ベース材の両端部に備えた固定手段であるクランプを下位の鉄骨の両側位置に合致させるように調節する。そして、各クランプを鉄骨両側のフランジ部へ締結し、ベース材を鉄骨へ確実に固定する。こうして、むき出しの鉄骨上に固定した足場用架台の水平材に長尺、或いは伸縮式の足場の一端側の係止具を係止する一方、足場の他端側はコンクリートによって被覆された鉄骨上へ載置する。このとき、水平材の高さ位置は予めコンクリートの被覆厚さを考慮したものとしておれば、架設する足場をより水平に設置することができる。
【０００９】
このように、前記足場用架台によれば、打設したコンクリートなどによって段差の生じた場所であっても、ごく簡単な作業で水平に足場を架設でき、作業安全上好適な足場を提供することができる。
【００１０】
また、請求項２記載の足場用架台によれば、ベース材固定用の固定手段に高さ調節機能を備えたので、足場用架台の水平材高さを調整でき、段差が異なる場所でも常に水平な足場を架設することができる。
【００１１】
【実施例】
以下、本発明の実施例を図面に基づいて説明する。
【００１２】
１は本発明に係る足場用架台であって、平行に立設した一対の支柱材２とそれらを連結する水平材３から成る略門型の枠体４と、該枠体４の各支柱材２の下端部に備えた枠体４支持用のベース材５とから主要部を構成している。
【００１３】
前記各支柱材２は断面略Ｌ字形状の鋼材であって、図１に示すように、平面同士が対向するように配置している。また、水平材３は足場Ａ端部の係止クランプを係止させる円筒形状の鋼管であって、水平に配置した水平材３の両端部を前記各支柱材２の対向する平面の所定高さ位置へそれぞれ固着して連結し、略門型の枠体４を形成している。ここで、各支柱材２の長さ、及び水平材３を取り付ける高さ位置は、足場Ａを架設する場所の段差に応じたものとする。また、水平材３の長さは少なくとも架設する足場Ａの幅に対応したものとなる。
【００１４】
前記支柱材２の下端部には略円盤状のベース板６を固着しており、該ベース板６の中央部にはボルト挿通用の透孔を穿設している。また、ベース材５の略中間部にも同様にボルト挿通用の透孔を穿設しており、ベース板６の透孔位置と合致させてボルト７を挿通させて締結し、枠体４とベース材５とを固定している。したがって、ボルト７の締緩操作により、ベース材５は水平材３に対して任意の角度に自在に調整することができるように構成している。
【００１５】
また、ベース材５の両端部にはベース材５を建築中のビルの鉄骨Ｂなどへ固定するための固定手段であるクランプ８を備えている。前記クランプ８は、鉄骨Ｂ両側のフランジ部分を挟持する略コ字形状のクランプ本体９と、長尺ボルト１０とから構成しており、長尺ボルト１０の締緩操作によってクランプ本体９の締緩を行うようにしていると共に、鉄骨Ｂに対するベース材５の高さ位置を調節するための高さ調節ナット１１を備えている。
【００１６】
しかして、本発明の足場用架台１を用いて建築現場であるビルなどの段差のある鉄骨Ｂ、Ｂ´間に足場Ａを架設する場合には、先ず、足場Ａを架設しようとする鉄骨の内、むき出しの鉄骨Ｂ上へ足場用架台１を載置する。次に、ボルト７を緩めて各ベース材５を回動させ、ベース材５の両端部に備えたクランプ本体９が鉄骨の両側位置に合致するようにする。そして、クランプ本体９を鉄骨Ｂ両側のフランジ部分へ嵌め込み、長尺ボルト１０にて締結してベース材５と鉄骨Ｂとを固定した後、ボルト７を締め付けて枠体４とベース材５とを固定する。このとき、コンクリートを打設した方の鉄骨と比較して段差があるようであれば、長尺ボルト１０に備えた高さ調節ナット１１にて適宜調節を行って段差を解消する。
【００１７】
こうして、鉄骨Ｂ上に固定した足場用架台１の水平材３に足場Ａ一端部の係止クランプを係止させる一方、足場Ａの他端部をコンクリートを打設した方の鉄骨Ｂ´上へ載置して足場Ａを水平に架設する。なお、鉄骨Ｂ´側の足場Ａも必要に応じてクランプなどで固定するようにすれば、より確実に固定ができて作業安全上好適である。
【００１８】
このように、本発明の足場用架台１によれば、段差を生じやすい建築現場においても簡単な作業で水平に足場を設置でき、安全で能率のよい作業環境を提供することができる。
【００１９】
【発明の効果】
以上のように本発明に係る請求項１記載の足場用架台によれば、平行に立設した一対の支柱材を水平材にて連結して略門型の枠体を形成すると共に、該枠体の各支柱材の下端部にそれぞれ水平に備えたベース材をボルトにて締緩自在に螺着し、該ボルトの締緩操作によりベース材を前記水平材に対して任意の角度で固定可能に構成する一方、ベース材の両端部にはベース材を鉄骨などへ固定するための固定手段を備えたので、段差を有する場所にでも水平な足場を架設することができる。
【００２０】
また、請求項２記載の足場用架台によれば、前記固定手段には高さ調節機能を備えさせたので、足場用架台の高さ調整が行えてより水平な足場を架設することができる。
【図面の簡単な説明】
【図１】本発明に係る足場用架台の一実施例を示す斜視図である。
【図２】足場用架台用いて足場を架設した状態を示す説明図である。
【符号の説明】
１…足場用架台                ２…支柱材
３…水平材                    ４…枠体
５…ベース材                  ６…枠体
７…筋交い                    ８…固定手段（クランプ）
１１…高さ調節ナット
【図１】
0003997080.tif 000002
【図２】
0003997080.tif 000003